(57)【要約】【課題】立位姿勢の使用者の目線と、着座姿勢の使用者の目線と、を同一高さにすることができ、かつ低コストで什器全体の外観の体裁を向上した什器システム及び天板付什器を提供する。【解決手段】什器システムは、床面Ｆから上方に延びる支持構造体４２及び支持構造体４２に下方から支持され、使用者が立位姿勢で使用可能な天板４１を有する天板付什器２と、床面Ｆに設置され、使用者が着座姿勢で天板４１を使用可能な椅子と、を備える。天板付什器２は、天板４１よりも下方において支持構造体４２に連結される足載置部５２を有し、足載置部５２の周縁部は、上下方向から見て天板４１の周縁部よりも内側に配置される。【選択図】図２
2020174858.tif 000002
【特許請求の範囲】
【請求項１】
床面から上方に延びる支持構造体及び前記支持構造体に下方から支持され、使用者が立位姿勢で使用可能な天板を有する天板付什器と、
前記床面に設置され、使用者が前記天板を使用可能な高さで着座する椅子と、
を備え、
前記天板付什器は、前記天板よりも下方において前記支持構造体に連結される足載置部を有し、
前記足載置部の周縁部は、上下方向から見て前記天板の周縁部よりも内側に配置されることを特徴とする什器システム。
【請求項２】
前記天板付什器は、使用者の下肢が前記天板の下方に前後方向及び左右方向から進入可能に構成され、
前記上下方向から見て、前記足載置部の周縁部と、前記天板の周縁部と、の距離が、前記天板付什器の全周に亘って等しくなっていることを特徴とする請求項１に記載の什器システム。
【請求項３】
前記天板の外周部を支持する複数の脚体を備え、
前記足載置部は、前記上下方向から見て前記複数の脚体で囲まれた領域よりも内側に配置されることを特徴とする請求項１又は請求項２に記載の什器システム。
【請求項４】
前記床面から前記足載置部の上面までの高さが、１００ｍｍ以上４００ｍｍ以下に設定されることを特徴とする請求項１から請求項３のいずれか１項に記載の什器システム。
【請求項５】
前記天板付什器及び前記椅子は、前記椅子に着座した使用者の目線の高さと、前記床面に立位した使用者の目線の高さと、を同一高さに設定可能に構成されていることを特徴とする請求項１から請求項４のいずれか１項に記載の什器システム。
【請求項６】
前記天板は、前記床面から上面までの高さが８００ｍｍ以上１１００以下に設定され、
前記椅子は、前記床面から座面までの高さが６００ｍｍ以上８００ｍｍ以下に設定されることを特徴とする請求項５に記載の什器システム。
【請求項７】
前記天板付什器における前記天板の高さ及び前記椅子の座面の高さの少なくともいずれかの上下位置は、少なくとも使用者が立位姿勢で前記天板を使用可能な範囲で変更可能に構成されていることを特徴とする請求項５又は請求項６に記載の什器システム。
【請求項８】
床面から上方に延びる複数の脚体と、
前記脚体に下方から支持され、使用者が立位姿勢で使用可能な天板と、
前記天板よりも下方に配置された足載せユニットと、
を備え、
前記足載せユニットは、
前記床面に設置された基部と、
前記基部に下方から支持された足載置部と、
前記基部の下端部及び前記脚体の下端部間を連結する連結部材と、
を備え、
前記足載置部は、上下方向から見て前記複数の脚体で囲まれた領域の内側に配置されることを特徴とする天板付什器。
【請求項９】
前記基部は、前記領域の内側に前記脚体に対応して複数設けられ、
前記連結部材は、
前記基部及び前記脚体間を連結する第一連結片と、
隣り合う前記基部間を連結する第二連結片と、
を有することを特徴とする請求項８に記載の天板付什器。
【発明の詳細な説明】
【技術分野】
【０００１】
本発明は、什器システム及び天板付什器に関するものである。
【背景技術】
【０００２】
オフィスや病院、公共施設、研究施設等の室内空間には、使用者が執務を行うための天板を有する天板付什器と、椅子と、を備えた什器システムが設置されることがある。この種の什器システムでは、椅子に着座した使用者の体への負担を軽減するため、天板の下方に足載置部が設けられた構成が知られている。
【０００３】
例えば特許文献１には、机本体とフットレストとの間に、フットレストを上下方向及び天板の幅方向に位置変更可能に机本体に取り付ける構成が開示されている。特許文献１に記載の技術によれば、使用者の体格に応じてフットレストの高さを変更することで、使用者が適切な姿勢を保って作業を行うことができるとされている。
【先行技術文献】
【特許文献】
【０００４】
【特許文献１】特開２００２−８５１６１号公報
【発明の概要】
【発明が解決しようとする課題】
【０００５】
しかしながら、特許文献１に記載の技術にあっては、椅子に着座した着座姿勢の使用者と、立位姿勢の使用者と、が隣り合って作業を行う場合、着座姿勢の使用者と立位姿勢の使用者との目線の高さがそれぞれ異なる。その結果、例えば両者のコミュニケーションが取り難くなるおそれがある。
【０００６】
一方、着座姿勢の使用者と立位姿勢の使用者との目線の高さを同一にするために、什器を立位姿勢で執務を行うのに適したハイテーブルとし、椅子をハイテーブルの高さに合わせたハイスツールとすることが考えられる。しかしながら、ハイスツールでは着座者の足が床面に届かないため、別途ハイスツールに足載せ部を設ける必要があり、什器システムの製造コストが増加するおそれがある。
【０００７】
そこで、本発明は、着座姿勢の使用者の目線と、立位姿勢の使用者の目線と、を合わせ易くすることができ、かつ低コストで什器全体の外観の体裁を向上した什器システム及び天板付什器を提供することを目的とする。
【課題を解決するための手段】
【０００８】
上記課題の解決手段として、本発明の態様に係る什器システムは、床面から上方に延びる支持構造体及び前記支持構造体に下方から支持され、使用者が立位姿勢で使用可能な天板を有する天板付什器と、前記床面に設置され、使用者が着座姿勢で前記天板を使用可能な椅子と、を備え、前記天板付什器は、前記天板よりも下方において前記支持構造体に連結される足載置部を有し、前記足載置部の周縁部は、上下方向から見て前記天板の周縁部よりも内側に配置される。
【０００９】
この構成によれば、天板付什器は、着座姿勢の使用者及び立位姿勢の使用者の双方が使用可能な天板を有するので、着座姿勢の使用者と、立位姿勢の使用者と、が隣り合って作業を行う際に、着座姿勢の使用者と立位姿勢の使用者との目線の高さを同一の高さに合わせ易い。よって、例えば着座姿勢の使用者と立位姿勢の使用者とのコミュニケーションを円滑に行うことができる。
天板の下方には足載置部が設けられているので、天板を使用する使用者の足を足載置部に載せることができる。これにより、使用者の体への負担を軽減し、作業効率を向上できる。ここで、使用者が椅子に座りつつ椅子に設けられた足載せを使用する従来技術にあっては、足載せの安定性を良好に保てないおそれがある。この課題に対して、本発明の什器システムによれば、天板付什器側に足載置部が設けられるので、使用者に安定した足載置部を提供することができる。また、天板付什器に足載置部が設けられているので、各椅子にそれぞれ足載置部を設ける場合と比較して、什器システムの製造コストを削減できる。また、天板付什器と椅子とを相対移動させることで、椅子の座面に対する足載置部の水平方向での位置を変更できる。よって、座面と足載置部との水平方向における相対位置を、使用者の好みの位置に設定し易い。
足載置部の周縁部は、上下方向から見て天板の周縁部よりも内側に配置されるので、足載置部を目立ちにくくすることができる。これにより、什器システム全体の外観の体裁を向上できる。
したがって、着座姿勢の使用者の目線と、立位姿勢の使用者の目線と、を同一高さにすることができ、かつ低コストで什器全体の外観の体裁を向上した什器システムを提供できる。
【００１０】
上記態様において、前記天板付什器は、使用者の下肢が前記天板の下方に前後方向及び左右方向から進入可能に構成され、前記上下方向から見て、前記足載置部の周縁部と、前記天板の周縁部と、の距離が、前記天板付什器の全周に亘って等しくなっている構成としてもよい。
【００１１】
この構成によれば、使用者は、天板付什器の前後方向及び左右方向のいずれの方向においても立位姿勢及び着座姿勢を選択して天板付什器を使用できる。これにより、天板付什器及び什器システムの汎用性を向上できる。
【００１２】
上記態様において、前記天板の外周部を支持する複数の脚体を備え、前記足載置部は、前記上下方向から見て前記複数の脚体で囲まれた領域よりも内側に配置される構成としてもよい。
【００１３】
この構成によれば、足載置部は脚体よりも内側に配置されているので、使用者の下肢に足載置部が当接するのを抑制できる。よって、天板付什器の使い勝手をより一層向上できる。
【００１４】
上記態様において、前記床面から前記足載置部の上面までの高さが、１００ｍｍ以上４００ｍｍ以下に設定される構成としてもよい。
【００１５】
この構成によれば、足載置部の高さを、使用者にとって疲れにくい好適な高さに設定できる。よって、天板付什器の使い勝手をより一層向上できる。
【００１６】
上記態様において、前記天板付什器及び前記椅子は、前記椅子に着座した使用者の目線の高さと、前記床面に立位した使用者の目線の高さと、を同一高さに設定可能に構成されていてもよい。
【００１７】
この構成によれば、天板付什器及び椅子は、着座姿勢の使用者の目線と、立位姿勢の使用者の目線と、を同一高さに設定可能に構成されているので、着座姿勢の使用者と立位姿勢の使用者とのコミュニケーションを円滑に行うことができる。
【００１８】
上記態様において、前記天板は、前記床面から上面までの高さが８００ｍｍ以上１１００以下に設定され、前記椅子は、前記床面から座面までの高さが６００ｍｍ以上８００ｍｍ以下に設定される構成としてもよい。
【００１９】
この構成によれば、着座姿勢の使用者及び立位姿勢の使用者同士の目線を合わせ易く、また着座姿勢の使用者及び立位姿勢の使用者の双方にとって作業を行いやすい。これにより、着座姿勢の使用者と立位姿勢の使用者とのコミュニケーションを円滑に行うことができるとともに、着座姿勢の使用者及び立位姿勢の使用者の体への負担を軽減し、作業効率を向上できる。
床面から椅子の座面までの高さが６００ｍｍ以上８００ｍｍ以下に設定されているので、天板付什器に設けられた足載置部に使用者の足を載せやすい高さに椅子の高さを設定できる。これにより、着座姿勢の使用者及び立位姿勢の使用者が足載置部に足を載せることができる。その結果、使用者の体への負担を軽減し、作業効率を向上できる。
【００２０】
上記態様において、前記天板付什器における前記天板の高さ及び前記椅子の座面の高さの少なくともいずれかの上下位置は、少なくとも使用者が立位姿勢で前記天板を使用可能な範囲で変更可能に構成されている構成としてもよい。
【００２１】
この構成によれば、什器システムは、天板付什器の天板及び椅子の座面の少なくともいずれかの上下位置を変更することにより、着座姿勢の使用者の目線と、立位姿勢の使用者の目線と、を同一高さに設定し易い。これにより、使用者の体格等に依らず、着座姿勢の使用者と立位姿勢の使用者とのコミュニケーションを円滑に行うことができる。
【００２２】
本発明の態様に係る天板付什器は、床面から上方に延びる複数の脚体と、前記脚体に下方から支持され、使用者が立位姿勢で使用可能な天板と、前記天板よりも下方に配置された足載せユニットと、を備え、前記足載せユニットは、前記床面に設置された基部と、前記基部に下方から支持された足載置部と、前記基部の下端部及び前記脚体の下端部間を連結する連結部材と、を備え、前記足載置部は、上下方向から見て前記複数の脚体で囲まれた領域の内側に配置される。
【００２３】
この構成によれば、足載せユニットは足載置部を有するので、例えば使用者が椅子等に着座した状態で天板付什器を使用する際に、使用者の足を足載置部に載せることができる。これにより、特に着座姿勢の使用者の体への負担を軽減し、作業効率を向上できる。また、天板付什器が足載置部を有するので、椅子に足載置部を設ける必要がない。よって、例えば天板付什器と椅子等を組み合わせて使用する場合、天板付什器と椅子とを合わせた製造コストを削減できる。
連結部材は、足載置部を支持する基部の下端部と、天板を支持する脚体の下端部と、を連結しているので、連結部材が使用者の下肢に接触するのを抑制できる。これにより、天板付什器の使い勝手を向上できる。
足載置部の周縁部は、上下方向から見て天板の周縁部よりも内側に配置されるので、足載置部を目立ちにくくすることができる。これにより、天板付什器全体の外観の体裁を向上できる。
したがって、着座姿勢の使用者の目線と、立位姿勢の使用者の目線と、を同一高さにすることができ、かつ低コストで什器全体の外観の体裁を向上した天板付什器を提供できる。
【００２４】
上記態様において、前記基部は、前記領域の内側に前記脚体に対応して複数設けられ、前記連結部材は、前記基部及び前記脚体間を連結する第一連結片と、隣り合う前記基部間を連結する第二連結片と、を有する構成としてもよい。
【００２５】
この構成によれば、基部は脚体よりも内側に配置されているので、使用者の下肢に足載せユニットが当接するのを抑制できる。よって、天板付什器の使い勝手をより一層向上できる。
連結部材は第一連結片と第二連結片とを有するので、第一連結片により、足載せユニットを脚体に連結できる。また、第二連結片により基部間が連結されるので、足載置部に付加された荷重により基部間の距離が広がるのを抑制できる。これにより、足載置部に付加された荷重に対する足載せユニットの強度を向上できる。
【発明の効果】
【００２６】
本発明に係る態様によれば、立位姿勢の使用者の目線と、着座姿勢の使用者の目線と、を同一高さにすることができ、かつ低コストで什器全体の外観の体裁を向上した什器システム及び天板付什器を提供できる。
【図面の簡単な説明】
【００２７】
【図１】本発明の第１実施形態における什器システムの外観図である。
【図２】本発明の第１実施形態における天板付什器の斜視図である。
【図３】本発明の第１実施形態における支持構造体の斜視図である。
【図４】本発明の第１実施形態における足載せユニットの分解斜視図である。
【図５】上記天板付什器の上面図である。
【図６】本発明の第２実施形態における天板付什器の斜視図である。
【図７】本発明の第２実施形態における足載せユニットの分解斜視図である。
【図８】本発明の第３実施形態における天板付什器の斜視図である。
【発明を実施するための形態】
【００２８】
（第１実施形態）
（什器システム）
以下、本発明の実施形態について図面を参照して説明する。
図１は、本発明の第１実施形態における什器システム１の外観図である。
什器システム１は、例えばオフィスや病院、公共施設、研究施設等の室内空間に設置されている。什器システム１は、ハイスツール（請求項における椅子）３と、ハイスツール３に着座した着座姿勢の使用者（以下、着座使用者Ｐ１という場合がある。）及び立位姿勢の使用者（以下、立位使用者Ｐ２という場合がある。）が執務を行うための天板付什器２と、を有する。
以下の説明において、床面Ｆに直交する方向を上下方向（矢印ＵＰが上方）とし、上下方向に直交する２方向をそれぞれ前後方向（矢印ＦＲが前方）及び左右方向（矢印ＬＨ左方）として説明する。
【００２９】
（天板付什器）
図２は、本発明の第１実施形態における天板付什器２の斜視図である。
天板付什器２は、例えば床面Ｆに立位した立位使用者Ｐ２（図１も参照）が使用可能なハイテーブルである。天板付什器２は、什器本体４と、足載せユニット５と、を備える。
【００３０】
（什器本体）
什器本体４は、天板４１と、支持構造体４２と、を備える。
【００３１】
（天板）
天板４１は、上下方向から見て、例えば左右方向を長手方向とする長方形状とされている。天板４１には、天板４１上に載置される電子機器の配線を天板４１の下方に導く配線挿通部４１ａや、配線挿通部４１ａを開閉可能な配線カバー４１ｂが設けられている。なお、天板４１には、天板４１の下方において配線挿通部４１ａを下方から覆う配線ダクト（不図示）等が設けられていてもよい。
【００３２】
（支持構造体）
図３は、本発明の第１実施形態における支持構造体４２の斜視図である。
支持構造体４２は、天板４１を下方から支持している。支持構造体４２は、外周フレーム４４と、複数の支持脚４３と、を備える。
外周フレーム４４は、天板４１の外形よりも一回り小さい枠状に形成されている。外周フレーム４４は、天板４１の周縁部よりも内側に位置する部分で、天板４１の下面に固定されている。具体的に、外周フレーム４４は、短辺杆２１と、長辺杆２２と、コーナー部材２３と、を備える。
【００３３】
短辺杆２１は、天板４１の下方における左右両側において、前後方向に延在している。各短辺杆２１は、例えば前後方向に延びる角筒状に形成されている。短辺杆２１は、ボルト等の締結部材により天板４１の下面に固定されている。
長辺杆２２は、天板４１の下方における前後両側において、左右方向に延在している。長辺杆２２は、例えば左右方向に延びる角筒状に形成されている。長辺杆２２は、ボルト等の締結部材により天板４１の下面に固定されている。
【００３４】
コーナー部材２３は、外周フレーム４４の各角部において、短辺杆２１及び長辺杆２２同士を接続している。コーナー部材２３は、上下方向から見てＬ字状に形成されている。
【００３５】
支持脚４３は、外周フレーム４４の各角部において、天板４１及びコーナー部材２３に接続されている。なお、各支持脚４３は、いずれも同様の構成であるため、以下の説明では一つの支持脚４３を例にして説明する。
支持脚４３は、脚体４７と、ブラケット４８と、を備える。本実施形態において、脚体４７及びブラケット４８は、それぞれ金属材料により形成されている。なお、脚体４７の構成部材は、金属材料に限らず、木材や石材等を適宜選択してもよい。
【００３６】
脚体４７は、床面Ｆから上方に起立している。脚体４７は、天板４１の角部に対応する位置にそれぞれ配置されることにより、天板４１の外周部を支持している。天板４１の外周部とは、天板４１の外周縁を含む領域である。天板付什器２は、着座姿勢及び立位姿勢における使用者Ｐ１，Ｐ２の下肢Ｌが、隣り合う脚体４７の間を通じて天板４１の下方に前後方向及び左右方向から進入可能に構成されている。すなわち、使用者Ｐ１，Ｐ２は、天板４１の下方に下肢Ｌを収容した状態で作業を行うことができる。脚体４７は、上下方向から見た断面形状が半長円の筒状に形成されている。脚体４７は、上方から下方へ向かうにしたがい断面形状の外形が漸次縮小している。なお、脚体４７の上下方向から見た断面形状は、矩形状や円形状、楕円形状、三角形状等、適宜変更が可能である。脚体４７は、上端から下端へ向かうにしたがい、天板付什器２の中心から離間する方向に傾斜している。なお、脚体４７は、脚体４７の下端部にねじにより取り付けられたアジャスタ１９を介して床面Ｆに設置されている。
【００３７】
ブラケット４８は、脚体４７の上端部に設けられている。ブラケット４８は、脚体４７と天板４１とを接続している。ブラケット４８にはコーナー部材２３が取り付けられている。これにより、ブラケット４８は、脚体４７と外周フレーム４４とを接続している。
【００３８】
（足載せユニット）
図２に戻って、足載せユニット５は、天板４１の下方に設けられている。足載せユニット５は、基部５１と、足載置部５２と、連結部材５３と、を有する。
【００３９】
（基部）
図２に示すように、基部５１は、什器本体４の脚体４７よりも内側において、各脚体４７に対応する位置にそれぞれ設けられている。本実施形態において、基部５１は、４本設けられている。基部５１は、床面Ｆから上方へ向かって延びている。基部５１は、例えば金属パイプ等により筒状に形成されている。基部５１の下端部には、内径側に雌ねじ（不図示）が形成されている。
【００４０】
（足載置部）
図２に示すように、足載置部５２は、基部５１の上端に接続されている。足載置部５２は、上下方向から見て矩形枠状に形成されている。足載置部５２は、例えば金属パイプを曲げて形成されている。足載置部５２は、着座使用者Ｐ１及び立位使用者Ｐ２の双方の足Ｍが載置可能とされている。足載置部５２は、矩形状の各角部において対応する基部５１に下方から支持されることにより、床面Ｆから所定の高さに配置されている。具体的に、足載置部５２は、床面Ｆから上面までの高さが１００ｍｍ以上４００ｍｍ以下に設定されている。なお、床面Ｆから足載置部５２の上面までの高さは、１００ｍｍ以上２５０ｍｍ以下に設定されていることがより好ましい。この場合、着座使用者Ｐ１だけでなく、立位使用者Ｐ２が足載置部５２を好適に使用できる点で、より好ましい。
【００４１】
図４は、本発明の第１実施形態における足載せユニット５の分解斜視図である。
図４を用いて、基部５１と足載置部５２との接続について詳細に説明する。足載置部５２の角部には、足載置部５２の角部から内側に向かって延びる取付片５４が設けられている。取付片５４は、床面Ｆとほぼ平行に延びている。取付片５４は、上下方向から見て三角形状に形成されている。取付片５４の下面に基部５１が溶接等されることにより、基部５１に足載置部５２が取り付けられる。
【００４２】
図５は、天板付什器２の上面図である。
足載置部５２の周縁部は、上下方向から見て天板４１の周縁部よりも内側に配置されている。上下方向から見て、足載置部５２の周縁部と、天板４１の周縁部と、の距離は、足載置部５２の全周に亘って等しくなっている。具体的に、前方に位置する足載置部５２の周縁部から天板４１の周縁部までの距離をＷ１とし、後方に位置する足載置部５２の周縁部から天板４１の周縁部までの距離をＷ２とし、右方に位置する足載置部５２の周縁部から天板４１の周縁部までの距離をＷ３とし、左方に位置する足載置部５２の周縁部から天板４１の周縁部までの距離をＷ４としたとき、Ｗ１＝Ｗ２＝Ｗ３＝Ｗ４となるように設定されている。
さらに、足載置部５２は、上下方向から見て、隣り合う脚体４７同士を結んで形成された領域（複数の脚体４７で囲まれた領域）Ｒの内側に配置されている。
【００４３】
（連結部材）
図２に示すように、連結部材５３は、基部５１の下端部に設けられている。連結部材５３は、左右両端部に対応する位置に一対設けられている。一対の連結部材５３は、上下方向から見て左右方向の内側に向かって凸となるＵ字状に形成されている。連結部材５３は、床面Ｆに沿って配置されている。なお、一対の連結部材５３はいずれも同様の構成であるため、以下の説明では一つの連結部材５３を例にして説明する。
連結部材５３は、第一連結片５７と、第二連結片５８と、を備える。
【００４４】
第一連結片５７は、足載せユニット５の基部５１及び什器本体４の支持構造体４２間を連結している。具体的に、第一連結片５７は、基部５１の下端部及び脚体４７の下端部間を連結している。図５に示すように、第一連結片５７には、第一取付孔５７ａと、第二取付孔５７ｂと、が形成されている。
第一取付孔５７ａは、第一連結片５７のうち、上下方向から見て基部５１と重なり合う位置に形成されている。第一取付孔５７ａは、第一連結片５７を上下方向に貫通している。第一取付孔５７ａに挿通されたボルト（不図示）と基部５１の下端部に形成された雌ねじとが螺合することにより、基部５１と連結部材５３とが接続される。
第二取付孔５７ｂは、第一連結片５７のうち、上下方向から見て脚体４７と重なり合う位置に形成されている。第二取付孔５７ｂは、第一連結片５７を上下方向に貫通している。上述したアジャスタ１９のねじ部が第二取付孔５７ｂを通じて脚体４７に固定されることで、脚体４７と連結部材５３とが接続される。なお、第二取付孔５７ｂを含む第一連結片５７の先端部には、逃げ部５７ｃが形成されている。逃げ部５７ｃは、床面Ｆから間隔をあけて上方に位置している。床面Ｆと逃げ部５７ｃとの間の空間にはアジャスタ１９が入り込んでいる。これにより、第一連結片５７における逃げ部５７ｃ以外の部分を床面Ｆに近接又は当接した状態で配置できる。よって、第一連結片５７の撓み等を抑制できる。
【００４５】
第二連結片５８は、隣り合う基部５１間を連結している。第二連結片５８は、足載置部５２の短辺に沿って前後方向に延びている。第二連結片５８の両端部には、第一連結片５７がそれぞれ接続されている。第二連結片５８は、第一連結片５７と一体形成されている。
このように形成された連結部材５３を介して、什器本体４と足載せユニット５とが連結されている。なお、第二連結片５８は、上下方向から見て足載置部５２の短辺と重なり合う位置、又は足載置部５２の短辺よりも左右方向の内側に配置されていることが望ましい。
【００４６】
（ハイスツール）
図１に戻って、ハイスツール３は、床面Ｆに設置されている。ハイスツール３は、使用者Ｐ１が着座可能な座面３２を有する。ハイスツール３は、使用者Ｐ１が着座した状態（着座姿勢）において天板４１を使用可能としている。なお、ハイスツール３には、着座使用者Ｐ１の背中を支持する背凭れや、着座使用者Ｐ１の腕を載置可能な肘掛け等が設けられていてもよい。
【００４７】
ハイスツール３及び天板付什器２は、ハイスツール３に着座した着座使用者Ｐ１の目線の高さと、床面Ｆに立位した立位使用者Ｐ２の目線の高さと、を同一高さに設定可能に構成されている。このような構成としては、床面Ｆから天板４１までの高さや、床面Ｆから座面３２までの高さ等が所定の高さに設定される。本実施形態において、床面Ｆから座面３２までの高さは、６００ｍｍ以上８００ｍｍ以下に設定されている。床面Ｆから天板４１までの高さは、８００ｍｍ以上１１００ｍｍ以下に設定されている。特に、着座使用者Ｐ１の下肢Ｌと天板４１との干渉や、双方の使用者Ｐ１，Ｐ２の天板４１での作業性等を考慮すると、座面３２から天板４１までの高さを２００ｍｍ以上３００ｍｍ以下に設定することがより好ましい。
【００４８】
また、天板付什器２及びハイスツール３の少なくともいずれか一方に、天板４１及び座面３２の少なくともいずれか一方の高さを、立位使用者Ｐ２が天板４１を使用可能な範囲で上下に変更可能にする上下昇降機構（不図示）を設けてもよい。すなわち、上下昇降機構を用いて天板４１及び座面３２の高さを調整することにより、着座使用者Ｐ１と立位使用者Ｐ２との目線の高さを合わせるような構成としてもよい。
【００４９】
本実施形態の什器システム１は、着座使用者Ｐ１及び立位使用者Ｐ２の双方が足載置部５２に足Ｍを載置して使用可能である。具体的に、着座使用者Ｐ１は、ハイスツール３を天板付什器２に近付け、下肢Ｌを天板４１の下方に進入させる。これにより、着座使用者Ｐ１は、少なくとも一方の足Ｍを足載置部５２に載せた状態で、天板４１上で作業を行うことができる。一方、立位使用者Ｐ２は、天板４１に近付いた状態で、一方の足Ｍを天板４１の下方に進入させる。これにより、立位使用者Ｐ２は、一方の足Ｍを足載置部５２に載せた状態で、天板４１上で作業を行うことができる。
【００５０】
（作用、効果）
次に、上述した什器システム１及び天板付什器２の作用、効果について説明する。
本発明の態様に係る什器システム１によれば、天板付什器２は、着座使用者Ｐ１及び立位使用者Ｐ２の双方が使用可能な天板４１を有するので、着座使用者Ｐ１と、立位使用者Ｐ２と、が隣り合って作業を行う際に、着座使用者Ｐ１と立位使用者Ｐ２との目線の高さを同一の高さに合わせ易い。よって、例えば着座使用者Ｐ１と立位使用者Ｐ２とのコミュニケーションを円滑に行うことができる。
天板４１の下方には足載置部５２が設けられているので、天板４１を使用する使用者Ｐ１，Ｐ２の足Ｍを足載置部５２に載せることができる。これにより、使用者Ｐ１，Ｐ２の体への負担を軽減し、作業効率を向上できる。ここで、着座使用者Ｐ１がハイスツール３に座りつつハイスツール３に設けられた足載せを使用する従来技術にあっては、足載せの安定性を良好に保てないおそれがある。この課題に対して、本発明の什器システム１によれば、天板付什器２側に足載置部５２が設けられるので、着座使用者Ｐ１に安定した足載置部５２を提供することができる。また、天板付什器２に足載置部５２が設けられているので、各ハイスツール３にそれぞれ足載置部を設ける場合と比較して、什器システム１の製造コストを削減できる。また、天板付什器２とハイスツール３とを相対移動させることで、座面３２に対する足載置部５２の水平方向での位置を変更できる。よって、座面３２と足載置部５２との水平方向における相対位置を、使用者の好みの位置に設定し易い。
足載置部５２の周縁部は、上下方向から見て天板４１の周縁部よりも内側に配置されるので、足載置部５２を目立ちにくくすることができる。これにより、什器システム１全体の外観の体裁を向上できる。
したがって、着座使用者Ｐ１の目線と、立位使用者Ｐ２の目線と、を同一高さにすることができ、かつ低コストで什器全体の外観の体裁を向上した什器システム１を提供できる。
【００５１】
上下方向から見て、足載置部５２の周縁部と天板４１の周縁部と、の距離は、天板付什器２の全周に亘って等しくなっているので、使用者Ｐ１，Ｐ２は、天板付什器２の前後方向及び左右方向のいずれの方向においても立位姿勢及び着座姿勢を選択して天板付什器２を使用できる。これにより、天板付什器２（什器システム１）の汎用性を向上できる。
【００５２】
足載置部５２は脚体４７よりも内側に配置されているので、使用者Ｐ１，Ｐ２の下肢Ｌに足載置部５２が当接するのを抑制できる。よって、天板付什器２の使い勝手をより一層向上できる。
【００５３】
床面Ｆから足載置部５２の上面までの高さは１００ｍｍ以上４００ｍｍ以下に設定されているので、足載置部５２の高さを、使用者Ｐ１，Ｐ２にとって疲れにくい好適な高さに設定できる。よって、天板付什器２の使い勝手をより一層向上できる。
【００５４】
天板付什器２及びハイスツール３は、着座使用者Ｐ１の目線と、立位使用者Ｐ２の目線と、を同一高さに設定可能に構成されているので、着座使用者Ｐ１と立位使用者Ｐ２とのコミュニケーションを円滑に行うことができる。
【００５５】
床面Ｆから天板４１の上面までの高さが８００ｍｍ以上１１００以下に設定され、かつ床面Ｆからハイスツール３の座面３２までの高さが６００ｍｍ以上８００ｍｍ以下に設定されている構成とした。
この構成によれば、着座使用者Ｐ１及び立位使用者Ｐ２同士の目線を合わせ易く、また着座使用者Ｐ１及び立位使用者Ｐ２の双方にとって作業を行いやすい。これにより、着座使用者Ｐ１と立位使用者Ｐ２とのコミュニケーションを円滑に行うことができるとともに、着座使用者Ｐ１及び立位使用者Ｐ２の体への負担を軽減し、作業効率を向上できる。
床面Ｆからハイスツール３の座面３２までの高さが６００ｍｍ以上８００ｍｍ以下に設定されているので、天板付什器２に設けられた足載置部５２に使用者Ｐ１の足Ｍを載せやすい高さにハイスツール３の高さを設定できる。これにより、使用者Ｐ１，Ｐ２の双方が足載置部５２に足Ｍを載せることができる。その結果、使用者Ｐ１，Ｐ２の体への負担を軽減し、作業効率を向上できる。
【００５６】
什器システム１は、天板付什器２の天板４１及びハイスツール３の座面３２の少なくともいずれかの上下位置を変更することにより、着座使用者Ｐ１の目線と、立位使用者Ｐ２の目線と、を同一高さに設定し易い。これにより、使用者Ｐ１，Ｐ２の体格等に依らず、着座使用者Ｐ１と立位使用者Ｐ２とのコミュニケーションを円滑に行うことができる。
【００５７】
本発明の態様に係る天板付什器２によれば、足載せユニット５は足載置部５２を有するので、例えば使用者Ｐ１がハイスツール３等に着座した状態で天板付什器２を使用する際に、着座使用者Ｐ１の足Ｍを足載置部５２に載せることができる。これにより、特に着座使用者Ｐ１の体への負担を軽減し、作業効率を向上できる。また、天板付什器２が足載置部５２を有するので、ハイスツール３に足載置部を設ける必要がない。よって、例えば天板付什器２とハイスツール３等を組み合わせて使用する場合、天板付什器２とハイスツール３とを合わせた製造コストを削減できる。
連結部材５３は、足載置部５２を支持する基部５１の下端部と、天板４１を支持する脚体４７の下端部と、を連結しているので、連結部材５３が使用者Ｐ１，Ｐ２の下肢Ｌに接触するのを抑制できる。これにより、天板付什器２の使い勝手を向上できる。
足載置部５２の周縁部は、上下方向から見て天板４１の周縁部よりも内側に配置されるので、足載置部５２を目立ちにくくすることができる。これにより、天板付什器２全体の外観の体裁を向上できる。
したがって、着座使用者Ｐ１の目線と、立位使用者Ｐ２の目線と、を同一高さにすることができ、かつ低コストで什器全体の外観の体裁を向上した天板付什器２を提供できる。
【００５８】
基部５１は脚体４７よりも内側に配置されているので、使用者Ｐ１，Ｐ２の下肢Ｌに足載せユニット５が当接するのを抑制できる。よって、天板付什器２の使い勝手をより一層向上できる。
連結部材５３は第一連結片５７と第二連結片５８とを有するので、第一連結片５７により、足載せユニット５を脚体４７に連結できる。また、第二連結片５８により基部５１間が連結されるので、足載置部５２に付加された荷重により基部５１間の距離が広がるのを抑制できる。これにより、足載置部５２に付加された荷重に対する足載せユニット５の強度を向上できる。
【００５９】
（第２実施形態）
次に、本発明に係る第２実施形態について説明する。本実施形態では、足載置部５２が平板状に形成されている点で上述した実施形態と相違している。
図６は、本発明の第２実施形態における天板付什器２の斜視図である。図７は、本発明の第２実施形態における足載せユニット５の分解斜視図である。以下の説明において、上述した第１実施形態と同様の構成については、同一の符号を付して適宜説明を省略する。また、図６及び図７に記載された以外の構成に係る符号については、適宜図１から図５を参照されたい。
【００６０】
本実施形態において、足載置部５２は、図６に示すように、床面Ｆと平行な平面を有する平板状に形成されている。足載置部５２は、上下方向から見て矩形状に形成されている。足載置部５２には、仕切５５が設けられている。仕切５５は、足載置部５２の上面に取り付けられるとともに、足載置部５２の上面から上方へ突出している。仕切５５は、例えば棒状の部材を上方に凸となるようにＵ字状に曲げて形成されている。仕切５５は、足載置部５２の短辺と平行となるように設けられている。本実施形態において、仕切５５は、左右方向の両端部及び左右方向の中央部にそれぞれ設けられている。
【００６１】
図７に示すように、仕切５５は、足載置部５２の上面に例えば溶接により接合されている。なお、仕切５５は、ボルト等の締結具により足載置部５２に取り付けられてもよい。
基部５１の上端には、取付板５１ａが設けられている。取付板５１ａの上面に足載置部５２が接続されている。取付板５１ａと足載置部５２とは例えばスポット溶接により互いに接続されている。
【００６２】
本実施形態によれば、足載置部５２は平板状に形成されているので、使用者Ｐ１，Ｐ２の足Ｍだけでなく、例えば荷物等の他の物体を足載置部５２上に載置することができる。また、足載置部５２には仕切５５が設けられているので、使用者Ｐ１，Ｐ２の足Ｍや荷物等の落下を抑制できる。また、使用者Ｐ１，Ｐ２の足Ｍ同士の干渉や、荷物同士の干渉を抑制できる。よって、天板付什器２の汎用性及び使い勝手を向上できる。
【００６３】
（第３実施形態）
次に、本発明に係る第３実施形態について説明する。本実施形態では、一つの天板付什器２に対して複数の足載せユニット５が設けられている点で上述した実施形態と相違している。
図８は、本発明の第３実施形態における天板付什器２の斜視図である。
【００６４】
本実施形態において、天板付什器２は、上述した第１実施形態及び第２実施形態と比較して左右方向（天板４１の長手方向）の寸法が大きくなるように形成されている。天板付什器２は、中間脚４９を有する。中間脚４９は、天板付什器２の左右方向における中間部に設けられている。中間脚４９は、床面Ｆから上方に起立している。中間脚４９の上端は、天板４１の下面に接続されている。中間脚４９は、天板４１の中間部を下方から支持している。中間脚４９により、天板４１の下方の空間は、中間脚４９よりも右方に位置する第一空間Ｓ１と、中間脚４９よりも左方に位置する第二空間Ｓ２と、に分割される。
【００６５】
天板付什器２は、第一足載せユニット５ａと、第二足載せユニット５ｂと、を備える。
第一足載せユニット５ａは、第一空間Ｓ１に配置されている。第一足載せユニット５ａは、連結部材５３と、補強部材５９と、を有する。連結部材５３は、第一足載せユニット５ａの右方側（脚体４７側）において、基部５１と脚体４７との間及び基部５１間をそれぞれ連結している。補強部材５９は、第一足載せユニット５ａの左方側（中間脚４９側）において、基部５１同士を連結している。
第二足載せユニット５ｂは、第二空間Ｓ２に配置されている。第二足載せユニット５ｂの足載置部５２は、第一足載せユニット５ａの足載置部５２よりも左右方向の長さが短い。第二足載せユニット５ｂは、連結部材５３と、補強部材５９と、を有する。連結部材５３は、第二足載せユニット５ｂの左右方向における左方側（脚体４７側）において、基部５１と脚体４７との間及び基部５１間をそれぞれ連結している。補強部材５９は、第二足載せユニット５ｂの左右方向における右方側（中間脚４９側）において、基部５１同士を連結している。
なお、第一足載せユニット５ａ及び第二足載せユニット５ｂは、それぞれの補強部材５９から中間脚４９に向かって延びる接続部材によって中間脚４９にそれぞれ接続されていてもよい。また、第一足載せユニット５ａと第二足載せユニット５ｂとが接続部材によって互いに接続されていてもよい。
【００６６】
本実施形態によれば、天板付什器２は中間脚４９を有するので、天板４１の長手方向の寸法が大きい場合であっても、床面Ｆに対して天板４１を確実に支持できる。また、中間脚４９によって分割された空間Ｓ１，Ｓ２の大きさに合わせてそれぞれ足載せユニット５を配置することにより、天板付什器２の左右方向及び前後方向のいずれの方向からも同様の使用感で天板付什器２を使用できる。よって、天板付什器２の汎用性及び利便性を向上できる。足載せユニット５は補強部材５９を有するので、脚体４７と反対側の基部５１同士を接続できる。これにより、足載置部５２に付加された荷重により基部５１間の距離が広がるのを抑制できる。よって、足載置部５２に付加された荷重に対する足載せユニット５の強度を向上できる。
なお、中間脚４９と足載せユニット５とを連結するための中間連結部材が別途設けられてもよい。また、中間脚４９は、左右方向に複数設けられていてもよい。この場合、各中間脚４９によって分割された天板４１下方の空間において、任意の空間に足載せユニット５を設けてもよい。
【００６７】
なお、本発明の技術範囲は上述した実施形態に限定されるものではなく、本発明の趣旨を逸脱しない範囲において種々の変更を加えることが可能である。
例えば、天板４１のサイズや上下方向から見た形状等は、適宜変更が可能である。天板４１は、１枚の板材により構成されていてもよく、複数枚の板材が突き合わされて構成されていてもよい。また、天板４１は、上下方向から見て円形状や楕円形状、多角形状等に形成されていてもよい。この場合、天板４１の形状に合わせて足載置部５２の形状も変更するのが望ましい。
【００６８】
基部５１は、足載置部５２の角部以外の部分に接続されてもよい。基部５１及び連結部材５３間は溶接により接続されていてもよい。基部５１及び足載置部５２間はボルト等の締結部材により接続されていてもよい。
【００６９】
第二連結片５８は、足載置部５２の長辺に沿うように延びていてもよい。第一連結片５７と第二連結片５８とは別体で構成されていてもよい。連結部材５３はなくてもよい。
第二連結片５８はなくてもよい。第二連結片５８は、短辺及び長辺の全周に亘って設けられていてもよい
連結部材５３は、アジャスタ１９と床面Ｆとの間に挟まれることにより什器本体４に固定されてもよい。
【００７０】
その他、本発明の趣旨を逸脱しない範囲で、上述した実施形態における構成要素を周知の構成要素に置き換えることは適宜可能であり、また、上述した実施形態や変形例を適宜組み合わせてもよい。
【符号の説明】
【００７１】
１  什器システム
２  天板付什器
３  ハイスツール（請求項における椅子）
５  ユニット
３２  座面
４１  天板
４２  支持構造体
４７  脚体
５１  基部
５２  足載置部
５３  連結部材
５７  第一連結片
５８  第二連結片
Ｆ  床面
Ｐ１，Ｐ２  使用者
Ｌ  （使用者の）下肢
【図１】
2020174858.tif 000003
【図２】
2020174858.tif 000004
【図３】
2020174858.tif 000005
【図４】
2020174858.tif 000006
【図５】
2020174858.tif 000007
【図６】
2020174858.tif 000008
【図７】
2020174858.tif 000009
【図８】
2020174858.tif 000010